(57)【要約】【課題】集配所における配送荷物の通過情報を配送履歴として残し、その履歴を確認することができる配送伝票を提供する【解決手段】集配所を介して配送される配送荷物に貼付される配送伝票１０は、配送荷物が集配所を通過した旨の集配印を押印する集配印欄３２ａ，３２ｂを有し、集配所が保管する集配所確認票３０と、集配印欄３２ａ，３２ｂと同一の集配印を押印する集配印欄４２ａ，４２ｂを有し、配送荷物の荷受人が保管する届け先控票４０とを備える。【選択図】図１
2009101539.tif 000002
【特許請求の範囲】
【請求項１】
集配所を介して配送される配送荷物に貼付される配送伝票であって、
前記配送荷物が前記集配所を通過した旨の通過情報が表示される第１の通過情報欄を有し、前記集配所が保管する通過情報確認基材と、
前記第１の通過情報欄と同一の情報が表示される第２の通過情報欄を有し、前記配送荷物の荷受人又は配送人が保管する配送基材と、
を備える配送伝票。
【請求項２】
請求項１に記載の配送伝票において、
前記通過情報確認基材及び前記配送基材は、互いに段違いに積層して配置され、
前記第１の通過情報欄及び前記第２の通過情報欄は、同一面側に並んで配置されること、
を特徴とする配送伝票。
【請求項３】
請求項１又は請求項２に記載の配送伝票において、
前記通過情報は、集配担当者名、集配日時、集配所名のうち、少なくとも１つの情報を含むこと、
を特徴とする配送伝票。
【発明の詳細な説明】
【技術分野】
【０００１】
本発明は、配送荷物の配送に使用される配送伝票に関するものである。
【背景技術】
【０００２】
配送荷物の配送に使用される配送伝票は、サービスの内容に応じてさまざまな形態が考案されている（例えば、特許文献１参照）。特許文献１の発明は、少なくとも２枚のシート状基材が積層され、上位に位置するシート状基材側から下位に位置するシート状基材に、記載事項が選択的に複写される複写構造を有した配送伝票である。
また、最近ではトレーサビリティとして、各集配所でバーコードやＱＲコードなどを読み取り、電子データとして蓄積し、問い合わせがあった際に「今、どこに荷物があるのか？」や、「いつ配達したのか？」などが分かるようになっている。
しかしながら、貴重品や、セキュリティ関連書類、個人情報が掲載（印刷、印字）されている書類などを配達する場合、いつ、どこの集配所で取り扱われ手元に届いたかを荷受人がその場で確認できる配達伝票はなかった。
【特許文献１】特開２０００−２７２２７０号公報
【発明の開示】
【発明が解決しようとする課題】
【０００３】
本発明の課題は、集配所における配送荷物の通過情報を配送履歴として残し、その履歴を確認することができる配送伝票を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、集配所を介して配送される配送荷物に貼付される配送伝票（１０）であって、前記配送荷物が前記集配所を通過した旨の通過情報が表示される第１の通過情報欄（３２ａ，３２ｂ）を有し、前記集配所が保管する通過情報確認基材（３０）と、前記第１の通過情報欄（３２ａ，３２ｂ）と同一の情報が表示される第２の通過情報欄（４２ａ，４２ｂ）を有し、前記配送荷物の荷受人又は配送人が保管する配送基材（４０）と、を備える配送伝票（１０）である。
請求項２の発明は、請求項１に記載の配送伝票（１０）において、前記通過情報確認基材（３０）及び前記配送基材（４０）は、互いに段違いに積層して配置され、前記第１の通過情報欄（３２ａ，３２ｂ）及び前記第２の通過情報欄（４２ａ，４２ｂ）は、同一面側に並んで配置されること、を特徴とする配送伝票（１０）である。
請求項３の発明は、請求項１又は請求項２に記載の配送伝票（１０）において、前記通過情報は、集配担当者名、集配日時、集配所名のうち、少なくとも１つの情報を含むこと、を特徴とする配送伝票（１０）である。
【発明の効果】
【０００５】
本発明によれば、以下のような効果がある。
（１）配送伝票は、第１の通過情報欄を有した通過情報確認基材と、第１の通過情報欄と同一の情報を表示する第２の通過情報欄を有する配送基材とを備えているので、集配所における配送荷物の通過情報を、集配所に残す（保管させる）とともに、荷受人や配送人に対しても残すことができる。
（２）配送伝票は、通過情報確認基材及び配送基材が互いに段違いに積層して配置され、第１の通過情報欄と第２の通過情報欄とが同一面側に並んで配置されるので、集配所において、通過情報確認基材又は配送基材を捲りあげることなく、第１及び第２の通過情報欄に通過情報を容易に記載することができる。
【０００６】
（３）通過情報は、集配担当者名、集配日時、集配所名のうち、少なくとも１つの情報を含んでいるので、配送荷物の配送状況の詳細を荷受人や配送人に把握させることができ、また、集配所において配送履歴を管理させることができる。
【発明を実施するための最良の形態】
【０００７】
以下、図面等を参照して、本発明の実施形態をあげてさらに詳しく説明する。
（第１実施形態）
図１は、本発明による配送伝票の第１実施形態の模式図であり、図２は、集配印欄に押印される集配印の一例を示す図である。ここで、説明を明確にするために、図１中の＋Ｘ方向を右側、−Ｘ方向を左側、＋Ｙ方向を上側、−Ｙ方向を下側、＋Ｚ方向を上側（表面）、−Ｚ方向を下側（裏面）とする。
配送伝票１０は、図１に示すように、台紙２０、集配所確認票（通過情報確認基材）３０、届け先控票（配送基材）４０、配達票５０、売上票６０、貼付票７０、貨物受領票８０、依頼主控票９０を順に積層し、セキュリティを必要とする貴重品などの配送荷物を配送するときに配送荷物に貼付される多パート式の伝票である。
【０００８】
台紙２０は、配送伝票１０を配送荷物に貼付するために使用され、裏面に不図示の接着層及びそれを保護する剥離紙を有した矩形状のタック紙である。また、台紙２０は、その表面の左側端部近傍に接着層Ｇ１が、上側及び下側の端部近傍の接着層Ｇ１寄りに接着層Ｇ２が設けられている。
ここで、接着層Ｇ１は、台紙２０だけでなく集配所確認票３０、届け先控票４０、配達票５０、売上票６０、貼付票７０、貨物受領票８０、依頼主控票９０にも設けられており、台紙２０上に、集配所確認票３０、届け先控票４０、配達票５０、売上票６０、貼付票７０、貨物受領票８０、依頼主控票９０を順に積層してそれぞれを接着している。
【０００９】
また、接着層Ｇ２は、台紙２０と後述の貼付票７０の長辺部とを接着するために設けられており、後述の貼付票７０の長辺部の寸法と同等の長さで設けられている。ここで、貼付票７０は、集配所確認票３０、届け先控票４０、配達票５０、売上票６０を挟むようにして、接着層Ｇ１及び接着層Ｇ２によって台紙２０と接着されることによって、袋を形成している。すなわち、配送伝票１０は、台紙２０と貼付票７０との間に、集配所確認票３０、届け先控票４０、配達票５０、売上票６０が内包される形態となる。
【００１０】
集配所確認票３０は、配送荷物が集配所を通過したときの通過情報を集配所に残すための基材であり、長辺が台紙２０と同等の寸法であり、短辺が台紙２０の短辺よりも接着層Ｇ２の幅分だけ短い寸法に形成された矩形状の紙片である。また、集配所確認票３０は、表面の左側端部近傍に接着層Ｇ１が設けられ、右側端部近傍に確認票３１ａ及び確認票３１ｂがミシン目ｍを介して切り離し自在に設けられている。
【００１１】
確認票３１ａ及び確認票３１ｂは、それぞれの表面に集配印欄（第１の通過情報欄）３２ａ、３２ｂが設けられており、配送荷物が集配所に届いたときに、図２に示すような、集配所の名称、集配日付及び集配担当者名が刻まれた集配印（通過情報）が集配印欄３２ａ、３２ｂに押されることで通過情報を表示する。ここで、配送荷物が１箇所の集配所を経由して配送されるときは、確認票３１ａのみが使用され、２箇所の集配所を経由して配送されるときは、確認票３１ａ及び確認票３１ｂが使用される。
【００１２】
届け先控票４０は、図１に示すように、配送荷物を受領した荷受人が控えとして保管するための基材であり、長辺が集配所確認票３０の集配印欄３２ａ、３２ｂが表出するように集配所確認票３０の長辺よりも短い寸法であり、短辺が集配所確認票３０と同等の寸法に形成された矩形状の紙片である。また、届け先控票４０は、表面の左側端部近傍に接着層Ｇ１がミシン目ｍを境にして設けられている。さらに、届け先控票４０は、表面に荷受人や配送依頼人、品名などの配送情報を表示する配送情報欄４１が設けられ、また、表面の右側端部近傍に、集配所確認票３０の各集配印欄３２ａ、３２ｂに対応する集配印欄（第２の通過情報欄）４２ａ、４２ｂが設けられている。
【００１３】
ここで、届け先控票４０は、上述したように、長辺が集配所確認票３０の集配印欄３２ａ、３２ｂが表出するように集配所確認票３０の長辺よりも短い寸法で形成されているので、届け先控票４０と集配所確認票３０とを接着層Ｇ１で接着すると、互いに段違いに積層し、集配印欄３２ａ、３２ｂと集配印欄４２ａ、４２ｂとが並んで配置される。
【００１４】
配達票５０は、配送荷物を荷受人に渡したときに配送人が荷受人から受領印を貰い配送会社に持ち帰るための基材であり、長辺が届け先控票４０の長辺より短い寸法であり、短辺が集配所確認票３０と同等の寸法に形成された矩形状のカーボン紙である。また、配達票５０は、表面の左側端部近傍に接着層Ｇ１がミシン目ｍを境にして設けられている。さらに、配達票５０は、下側に位置する届け先控票４０の配送情報欄４１と対応する位置に配送情報を表示する配送情報欄５１が設けられ、右側端部近傍の表面に受領印を押す受領印欄５２が設けられている。
【００１５】
売上票６０は、配送依頼人から配送荷物の配送依頼を受け付けたときに、配送受付所で保管して売り上げを管理するための基材であり、集配所確認票３０と同等の寸法に形成された矩形状のカーボン紙である。また、売上票６０は、表面の左側端部近傍に接着層Ｇ１がミシン目ｍを境にして設けられている。さらに、売上票６０は、下側に位置する配達票５０の配送情報欄５１と対応する位置に配送情報を表示する配送情報欄６１が設けられている。
【００１６】
貼付票７０は、配送荷物の表面に配達情報を表示するための基材であり、長辺が台紙２０の長辺部に設けられた接着層Ｇ２の長さと同等の寸法であり、短辺が台紙２０の短辺の寸法と同等の寸法に形成された矩形状のカーボン紙である。また、貼付票７０は、左側端部近傍に接着層Ｇ１が設けられている。さらに、貼付表７０は、積層する売上票６０の配送情報欄６１と対応する位置に配送情報を表示する配送情報欄７１が設けられている。
貨物受領票８０は、配送依頼人から配送荷物を受け取ったときに、配送受付所で配送依頼人に渡される配送荷物の受領書である。貨物受領票８０は、台紙２０と同等の寸法に形成された矩形状のカーボン紙であり、表面の左側端部近傍に接着層Ｇ１がミシン目ｍを境にして設けられている。また、貨物受領票８０は、下側に位置する貼付票７０の配送情報欄７１と対応する位置に配送情報を表示する配送情報欄８１が設けられている。
【００１７】
依頼主控票９０は、配送依頼人が配送情報を記入し、配送依頼の控えとして保管するための基材であり、台紙２０と同等の寸法に形成された矩形状のカーボン紙である。また、依頼主控票９０は、下側に位置する貨物受領票８０の配送情報欄８１と対応する位置に配送情報を記入する配送情報欄９１が設けられ、さらに、貨物受領票８０のミシン目ｍと対応する位置にミシン目ｍが設けられている。
以上の構成により、配送伝票１０は、最上面に位置する依頼主控票９０に設けられた配送情報欄９１に配送情報が記入されることによって、依頼主控票９０の下側に位置する貨物受領票８０、貼付票７０、売上票６０、配達票５０、届け先控票４０の各配達情報欄に記入した配送情報が複写される。
【００１８】
次に、配送伝票１０の使用方法について説明する。図３は、配送荷物の配送依頼から荷受人に届けられるまでの経路を示す図である。
配送依頼人は、配送荷物の配送依頼をするときに、まず、依頼主控票９０の配送情報欄９１に配送情報を記入し、配送伝票１０から依頼主控票９０だけミシン目ｍで切り離して保管する。そして、配送依頼人は、配送伝票１０の最下部に位置する台紙２０の裏面に設けられた不図示の剥離紙を剥がして、配送伝票１０を配送荷物に貼付し、配送受付所の受付者に配送荷物を手渡す（Ｓ１０１）。
【００１９】
配送受付所の受付者は、配送荷物を配送依頼人から受け取るとき、配送荷物に貼付された配送伝票１０から貨物受領票８０をミシン目で切り離し配送依頼人に手渡す。そして、配送受付所の受付者は、配送伝票１０から売上票６０をミシン目ｍで切り離して保管し、配送荷物を第１の配送人（ドライバー）に渡す。このとき、配送荷物に貼付された配送伝票１０は、貨物受領票８０及び依頼主控票９０が切り離されているので、貼付票７０が最上面に位置するような形態となる。配送荷物を受け取った第１の配送人は、貼付票７０の配送情報欄７１に複写された届け先の情報を確認して、集配所Ａに配送荷物を運ぶ（Ｓ１０２）。
【００２０】
配送荷物が届けられた集配所Ａの集配担当者は、配送伝票１０の集配所確認票３０の確認票３１ａに設けられた集配印欄３２ａと、届け先控票４０の集配印欄４２ａとに、図２に示す集配印を押印し、集配所確認票３０から確認票３１ａをミシン目ｍで切り離す。そして、集配所Ａの集配担当者は、配送荷物を第２の配送人に渡し、第２の配送人は、貼付票７０の配送情報欄７１を確認して配送荷物を集配所Ｂへ運ぶ（Ｓ１０３）。
【００２１】
配送荷物が届けられた集配所Ｂの集配担当者は、配送伝票１０の集配所確認票３０の確認票３１ｂに設けられた集配印欄３２ｂと、届け先控票４０の集配印欄４２ｂとに、集配所Ｂの集配印を押印し、集配所確認票３０から確認票３１ｂをミシン目ｍで切り離す。そして、集配所Ｂの集配担当者は、配送荷物を第３の配送人に渡し、第３の配送人は、貼付票７０の配送情報欄７１を確認して配送荷物を荷受人へと届ける（Ｓ１０４）。
【００２２】
第３の配送人は、配送荷物を渡すときに、荷受人から配達票５０に設けられた受領印欄５２に受領印をもらい、配送伝票１０から配達票５０をミシン目ｍで切り離し、配送会社に持ち帰る。
配送荷物を受け取った荷受人は、配送荷物に貼付された配送伝票１０の貼付票７０に複写された配送情報を確認する。また、荷受人は、配送伝票１０から届け先控票４０をミシン目ｍで切り離し、届けられた配送荷物が、いつ、どのような経路で配送されてきたかなどの情報を、集配印欄４２ａ，４２ｂに押印された集配印によって確認する。
なお、配送荷物の配送ルートによっては、集配所を１箇所しか通過しない場合も考えられるが、そのときは、集配印欄３２ａ及び集配印欄４２ａにのみ集配印が押印され、集配印欄３２ｂ及び集配印欄４２ｂは使用しない。
【００２３】
以上より、本実施形態の配送伝票には以下のような効果がある。
（１）配送伝票１０は、集配印欄３２ａ，３２ｂを有した集配所確認票３０と、集配印欄３２ａ，３２ｂと同一の情報を表示する集配印欄４２ａ，４２ｂを有する届け先控票４０とを備えているので、配送伝票１０の集配印に記された配送履歴を、集配所に残すとともに、荷受人に対しても残すことができ、荷受人に配送荷物の配送状況を把握させることができる。
（２）配送伝票１０は、集配所確認票３０及び届け先控票４０のそれぞれに２つの集配印欄３２ａ，３２ｂと、集配印欄４２ａ，４２ｂとを備えているので、２箇所の集配所をそれぞれ通過したときの各配送履歴を配送伝票１０に残すことができる。
【００２４】
（３）配送伝票１０は、集配所確認票３０及び届け先控票４０が互いに段違いに積層して配置され、集配印欄３２ａ，３２ｂと集配印欄４２ａ，４２ｂとが同一面側に並んで配置されるので、集配所において、届け先控票４０を捲りあげることなく、集配所確認票３０の集配印欄３２ａ，３２ｂと集配印欄４２ａ，４２ｂとに集配印を押印することができる。
（４）集配印は、集配担当者名、集配日時及び集配所名が刻まれているので、配送荷物の配送状況の詳細を荷受人に把握させることができ、また、集配所においても配送荷物の集配履歴の詳細を管理することができる。
【００２５】
（第２実施形態）
図４は、本発明による配送伝票の第２実施形態の模式図である。なお、以下の実施形態の説明では、前述した第１実施形態と同様な機能を果たす部分には、同一の符号又は末尾に統一した符号を付して、重複する説明や図面を適宜省略する。
【００２６】
第２実施形態の配送伝票１０−２と第１実施形態の配送伝票１０との主な相違点は、第１実施形態の届け先控票４０に設けられた集配印欄４２ａ，４２ｂが、第２実施形態では、集配印５２ａ，５２ｂとして配達票５０−２に設けられた点と、配達票５０−２の上側に届け先控票４０−２が積層される点である。
配送伝票１０−２は、図４に示すように、台紙２０、集配所確認票３０、配達票５０−２、届け先控票４０−２、売上票６０、貼付票７０、貨物受領票８０、依頼主控票９０を順に積層している。
【００２７】
配達票５０−２は、長辺が集配所確認票３０の右側端部近傍に設けられた集配印欄３２ａ、３２ｂが表出するように集配所確認票３０の長辺よりも短い寸法であり、短辺が集配所確認票３０と同等の寸法に形成された矩形状の紙片である。また、配達票５０−２は、表面に配送情報を記載する配送情報欄５１が設けられ、また、表面の右側端部近傍に、集配所確認票３０の各集配印欄３２ａ、３２ｂに対応する集配印欄５３ａ、５３ｂが設けられている。さらに、配達票５０−２は、配送情報欄５１と集配印欄５３ａ、５３ｂとの間に受領印を押す受領印欄５２が設けられている。
届け先控票４０−２は、長辺が配達票５０−２の長辺より短い寸法であり、短辺が集配所確認票３０と同等の寸法に形成された矩形状のカーボン紙である。また、届け先控票４０−２は、下側に位置する配達票５０−２の配送情報欄５１と対応する位置に配送情報を表示する配送情報欄４１が設けられている。
【００２８】
以上より、本実施形態の配送伝票１０−２は、集配印欄３２ａ，３２ｂを有した集配所確認票３０と、集配印欄３２ａ，３２ｂと同一の情報を記載する集配印欄５３ａ，５３ｂを有する配達票５０−２とを備えているので、配送伝票１０−２の集配印に記された配送履歴を、集配所に残すとともに、配送人にも残すことができ、荷受人から配送荷物の配送履歴の問い合わせなどがあったときに迅速に対応することが可能である。
【００２９】
（変形形態）
以上説明した実施形態に限定されることなく、種々の変形や変更が可能であり、それらも本発明の範囲内である。図５は、集配印の変形形態を示す図である。
（１）各実施形態では、台紙２０を含め８枚の伝票を積層した配送伝票の例で説明したが、配送サービスなどに応じて、伝票の枚数を適宜変更してもよい。
（２）各実施形態では、集配所確認票３０と、届け先控票４０又は配達票５０−２とに、それぞれ、２つずつ集配印欄を設けたが、２つ以上又は１つずつ設けてもよい。例えば、配送荷物の配送ルートに集配所が１箇所しかない場合、集配所確認票３０と、届け先控票４０又は配達票５０−２とに、集配欄を１つずつ設けることも可能である。
【００３０】
（３）各実施形態では、集配所確認票３０と、届け先控票４０又は配達票５０−２とに、集配印欄を設けた例で説明したが、集配所確認票３０、届け先控票４０、配達票５０全てに集配印欄を設けてもよい。そうすることで、集配所、荷受人、配送人の各自が集配履歴を保管することができる。
（４）各実施形態では、集配所の通過情報として集配印を押印した例で説明したが、通過情報が記載されたシールなどを貼付したり、手書きで記入したりしてもよい。
【００３１】
（５）各実施形態において、集配印は、集配日付が刻まれていたが、図５（ａ）に示すように、より正確な情報を残すために集配日時を刻んでもよい。また、集配印は、図５（ｂ）に示すように、届け先控票４０の集配印欄４２ａ（又は４２ｂ）と集配所確認票３０の集配印欄３２ａ（又は３２ｂ）とに集配印を同時に押すことができるような、届け先控票４０用及び集配所確認票３０用の２つの集配印を一体にしたものを使用してもよく、集配所における押印作業の効率を向上させることができる。
なお、実施形態及び変形形態は、適宜組み合わせて用いることもできるが、詳細な説明は省略する。また、本発明は、以上説明した実施形態によって限定されることはない。
【図面の簡単な説明】
【００３２】
【図１】本発明による配送伝票の第１実施形態の模式図である。
【図２】集配印欄に押印される集配印の一例を示す図である。
【図３】配送荷物の配送依頼から荷受人に届けられるまでの経路を示す図である。
【図４】本発明による配送伝票の第２実施形態の模式図である。
【図５】集配印の変形形態を示す図である。
【符号の説明】
【００３３】
１０  配送伝票
２０  台紙
３０  集配所確認票
３１ａ、３１ｂ  確認票
３２ａ、３２ｂ  集配印欄
４０、４０−２  届け先控票
４２ａ、４２ｂ  集配印欄
５０、５０−２  配達票
５２  受領印欄
５３ａ、５３ｂ  集配印欄
６０  売上票
７０  貼付票
８０  貨物受領票
９０  依頼主控票
４１、５１、６１、７１、８１、９１  配達情報欄
ｍ  ミシン目
Ｇ１、Ｇ２  接着層
【図１】
2009101539.tif 000003
【図２】
2009101539.tif 000004
【図３】
2009101539.tif 000005
【図４】
2009101539.tif 000006
【図５】
2009101539.tif 000007